(57)【要約】【課題】既設の物干し装置においては、掛けることができる物干し竿よりも多くの物干し竿を掛けることを可能とする補助装置を提供することにあり、数多くの物干し竿を掛けることができ、取扱いに問題がない物干し装置を提供する。【解決手段】１又は複数の竿掛け孔２０５を備えた一対のアーム２０３を備えた、既設の物干し装置に取り付けられる物干し装置の補助装置１であって、各アーム２０３の先端２０３ａと節部２０７とを挟持して取り付け可能な基部１０と、基部１０に回動可能に取り付けられた、複数の追加竿掛け部２２を備えた追加アーム２０と、を備え、基部１０と追加アーム２０とが対向する２つの側面の一方２０ｓに第１突起２１が設けられ、他方の側面１１ｓには、追加アーム２０の回動に伴い第１突起２１と当接可能な２つの第２突起１８、１９を備えたこと物干し装置の補助装置とする。【選択図】図２
2009268867.tif 000002
【特許請求の範囲】
【請求項１】
１又は複数の竿掛け孔を備えた一対のアームを備えた、既設の物干し装置に取り付けられる物干し装置の補助装置であって、
前記各アームの先端と節部とを挟持して取り付け可能な基部と、
前記基部に回動可能に取り付けられた、複数の追加竿掛け部を備えた追加アームと、を備え、
前記基部と前記追加アームとが対向する２つの側面の一方に第１突起が設けられ、他方の側面には、前記追加アームの回動に伴い第１突起と当接可能な２つの第２突起を備えたことを特徴とする物干し装置の補助装置。
【請求項２】
１又は複数の竿掛け孔を備えた一対のアームを備えた、既設の物干し装置に取り付けられる物干し装置の補助装置であって、
前記各アームの先端と節部とを挟持して取り付け可能な基部と、
前記基部に回動可能に取り付けられた、複数の追加竿掛け部を備えた追加アームと、を備え、
前記基部と前記追加アームとが対向する２つの側面の一方に第１突起が設けられ、他方の側面には、前記追加アームの回動に伴い第１突起と当接可能であり、前記第１突起が嵌合可能な円弧状の溝を備えたことを特徴とする物干し装置の補助装置。
【請求項３】
１又は複数の竿掛け孔を備えた一対のアームと、前記各アームの先端に回動可能に取り付けられた、複数の追加竿掛け部を備えた追加アームと、を備え、
前記アームと前記追加アームとが対向する２つの側面の一方に第１突起が設けられ、他方の側面には、前記追加アームの回動に伴い第１突起と当接可能な２つの第２突起を備えたことを特徴とする物干し装置。
【請求項４】
１又は複数の竿掛け孔を備えた一対のアームと、前記各アームの先端に回動可能に取り付けられた、複数の追加竿掛け部を備えた追加アームと、を備え、
前記アームと前記追加アームとが対向する２つの側面の一方に第１突起が設けられ、他方の側面には、前記追加アームの回動に伴い第１突起と当接可能であり、前記第１突起が嵌合可能な円弧状の溝を備えたことを特徴とする物干し装置。
【請求項５】
前記追加竿掛け部はＵ字状の切り欠きであって、追加アームの先端側の幅方向に対する傾斜角を、前記追加アームの回動軸側の幅方向に対する傾斜角より大きい請求項１又は２に記載の物干し装置の補助装置。
【請求項６】
前記追加竿掛け部はＵ字状の切り欠きであって、追加アームの先端側の幅方向に対する傾斜角を、前記追加アームの回動軸側の幅方向に対する傾斜角より大きい請求項３又は４に記載の物干し装置。
【発明の詳細な説明】
【技術分野】
【０００１】
本発明は、物干し装置あるいは既設の物干し装置に取り付けられる補助装置に関し、既設の物干し装置に掛けることができる物干し竿よりも多くの物干し竿を掛けることを可能とする物干し装置あるいは補助装置に関する。
【背景技術】
【０００２】
衣類等を干す場合、物干し竿に直接掛けたり、あるいは、ハンガーに衣類等を掛け、該ハンガーを物干し竿に掛けたりする。集合住宅では、１又は複数の竿掛け孔を備えた一対のアームがベランダの壁から水平方向あるいは水平方向から斜め上方に保持された物干し装置が使用され、竿掛け孔に物干し竿を水平に掛け、物干し竿に衣類あるいはハンガーを掛ける。例えば、非特許文献１に記載された物干し装置が知られている。
【非特許文献１】”ホスクリーン・シリーズ”、株式会社川口技研、平成２０年３月３１日検索、インターネット〈URL：http://www.kawaguchigiken.co.jp/monohoshi/index.html〉
【発明の開示】
【発明が解決しようとする課題】
【０００３】
上記の物干し装置では、竿掛け孔の数により掛けることができる物干し竿の本数が制限されている。しかし、竿掛け孔の数を超える本数の物干し竿を架けることができず、干すべき衣服が多くなった場合、すべての衣服を干すことができないという問題があった。また、アームが備える竿掛け孔の数を増やすとこともできるが、例えば狭い場所に物干し装置を取り付けた場合、アームが長く過ぎて取扱いにくくなる。
【０００４】
したがって、本発明の課題は、既設の物干し装置においては、掛けることができる物干し竿よりも多くの物干し竿を掛けることを可能とする補助装置を提供することにあり、数多くの物干し竿を掛けることができ、取扱いに問題がない物干し装置を提供することにある。
【課題を解決するための手段】
【０００５】
本発明の物干し装置の補助装置は、１又は複数の竿掛け孔を備えた一対のアームを備えた、既設の物干し装置に取り付けられる物干し装置の補助装置であって、
前記各アームの先端と節部とを挟持して取り付け可能な基部と、
前記基部に回動可能に取り付けられた、複数の追加竿掛け部を備えた追加アームと、を備え、
前記基部と前記追加アームとが対向する２つの側面の一方に第１突起が設けられ、他方の側面には、前記追加アームの回動に伴い第１突起と当接可能な２つの第２突起を備えたことを特徴とする。
【０００６】
本発明の物干し装置の補助装置は、１又は複数の竿掛け孔を備えた一対のアームを備えた、既設の物干し装置に取り付けられる物干し装置の補助装置であって、
前記各アームの先端と節部とを挟持して取り付け可能な基部と、
前記基部に回動可能に取り付けられた、複数の追加竿掛け部を備えた追加アームと、を備え、
前記基部と前記追加アームとが対向する２つの側面の一方に第１突起が設けられ、他方の側面には、前記追加アームの回動に伴い第１突起と当接可能であり、前記第１突起が嵌合可能な円弧状の溝を備えたことを特徴とする。
【０００７】
本発明の物干し装置の補助装置は、既設のアームの先端に基部を取り付け、基部に回動可能で、物干し竿を掛けることができる追加アームを取り付けたものである。したがって、既設の物干し装置に掛けることができる物干し竿よりも多くの物干し竿を掛けることを可能となる。
【０００８】
本発明の物干し装置は、１又は複数の竿掛け孔を備えた一対のアームと、前記各アームの先端に回動可能に取り付けられた、複数の追加竿掛け部を備えた追加アームと、を備え、
前記アームと前記追加アームとが対向する２つの側面の一方に第１突起が設けられ、他方の側面には、前記追加アームの回動に伴い第１突起と当接可能な２つの第２突起を備えたことを特徴とする。
【０００９】
本発明の物干し装置は、１又は複数の竿掛け孔を備えた一対のアームと、前記各アームの先端に回動可能に取り付けられた、複数の追加竿掛け部を備えた追加アームと、を備え、
前記アームと前記追加アームとが対向する２つの側面の一方に第１突起が設けられ、他方の側面には、前記追加アームの回動に伴い第１突起と当接可能であり、前記第１突起が嵌合可能な円弧状の溝を備えたことを特徴とする。
【００１０】
本発明の物干し装置は、アームと、アームの先端に基部に回動可能で、物干し竿を掛けることができる追加アームを備えたものである。したがって、従来の物干し装置に掛けることができる物干し竿よりも多くの物干し竿を掛けることを可能となる。
【００１１】
また、既設のアームに取り付けられた基部又はアームの先端と、追加アームとにそれぞれ設けられた、突起と、突起又は溝が当接することにより追加アームの回動範囲が制限され、使用時には追加アームが所定の位置に固定される。使用しないときには、既設のアーム（又はアーム）と重なるように固定され、既設のアーム（又はアーム）の折り畳みの支障とならず、掛ける物干しの本数が少ないときは、狭い場所でもアームが長くなって取扱いにくくなるということがなくなる。
【発明を実施するための最良の形態】
【００１２】
以下、図面を用いて、本発明に係る物干し装置の補助装置の実施の形態を説明する。図１（ａ）は既設の物干し装置を示す斜視図であり、（ｂ）は既設の物干し装置に本発明の物干し装置の補助装置を取り付けた様子を示す斜視図である。既設の物干し装置では、ベランダの壁２００から鉛直方向に延びる、一対の支柱２０１、２０２が壁２００に取り付けられている。支柱２０１、２０２には、一対のアーム２０３、２０４が水平方向から斜め上方に延びる位置で保持され、各アーム２０３、２０４は、複数の竿掛け孔２０５、２０６を備える。各竿掛け孔２０５、２０６に物干し竿２１０を掛けることができる。
【００１３】
アーム２０３、２０４はベランダの壁２００の略垂直な面内で回動可能であり、使用しないときは支柱２０１、２０２に沿って折り畳まれる。なお、アーム２０３、２０４の回動機構や支柱２０１、２０２の取り付け構造の説明は省略する。また、使用時に一対のアーム２０３、２０４が水平方向に保持されていてもよく、また上述した方法以外の方法でアームが折り畳まれる構造を有していてもよい。
【００１４】
一対のアーム２０３、２０４の先端には、物干し装置の補助装置１がそれぞれ取り付けられ、追加アーム２０に物干し竿２１０を掛けることができ、既設の物干し装置に掛けることができる物干し竿よりも多くの物干し竿を掛けることを可能となる。
【００１５】
図２は、本発明に係る物干し装置の補助装置１がアーム２０３の先端に取り付けられた様子を示し、（ａ）は真横から見た図であり、（ｂ）は（ａ）におけるＡ−Ａ線切り欠き断面図である。物干し装置の補助装置１は、アーム２０３の先端２０３ａと、竿掛け孔２０５を区画する節部２０７とを挟持してアーム２０３に固定される基部１０と、基部２に回動可能に取り付けられた追加アーム２０を備える。
【００１６】
基部１０は、アーム２０３の先端２０３ａを覆う覆い部１１と、節部２０７を挟持する挟持部１２を備える。覆い部１１はアーム２０３の長手方向に延びるパイプ１３を備え、挟持部１２は、アーム２０３に対して垂直に延びる取り付け片１２ａを備え、取り付け片１２ａにはネジ溝（図示しない）が螺刻されている。
【００１７】
ボルト１５は、パイプ１３を貫通し、取り付け片１２ａのネジ溝（図示しない）に螺合され、ボルト１５を締めることにより、覆い部１１と挟持部１２とが、アーム２０３を挟持して基部１０が取り付けられている。取り付け片１２ａのネジ溝を設けずに、ナットを用いてボルト１５を締めてもよい。既設のアーム２０３の幅によっては、覆い部１１が幅方向にずれる場合がある。この場合、覆い部１１の幅方向の側面にビス２８がアーム２０３に当接するまでねじ込んで、覆い部１１のずれを抑えることができる。なお、パイプ１３は、覆い部１１の本体に溶接などの方法で取り付けることができる。
【００１８】
追加アーム２０に対向する、覆い部１１の側面１１ｓには螺刻部１７が設けられ、螺刻部１７にはネジ溝（図示しない）が螺刻されている。そして、ボルト２３は、追加アーム２０の貫通孔（図示しない）を貫通し、螺刻部１７のネジ溝に螺合されている。なお、緩み止めのため、ボルト２３には、ワッシャやスプリングワッシャを適宜設けてもよい。
【００１９】
覆い部１１に対向する、追加アーム２０の側面２０ｓには、第１突起２１が設けられている。一方、覆い部１１の側面１１ｓには２つの第２突起１８、１９が、追加アーム２０の回動に伴って、第１突起２１が第２突起１８、１９に当接し、追加アーム２０の回動範囲が制限されるような位置に設けられている。すなわち、第１突起２１は螺刻部１７を中心とし第２突起１８、１９を通る円弧上のみを動くように追加アーム２０の回動範囲が制限される。
【００２０】
具体的には、図２（ａ）に示すように、追加アーム２０が水平方向になったときに、第１突起２１が第２突起１９に当接するような位置に、第２突起１９が設けられている。したがって、追加アーム２０が水平方向に固定され、垂れ下がることはない。第２突起１９の位置を変えて、所定の角度、水平方向よりやや上向き、あるいは水平方向よりやや下向きなどの位置に追加アーム２０を固定することもできる。
【００２１】
図３は、第１突起２１が第２突起１８に当接している様子を示す。アーム２０３と追加アーム２０が重なる状態で固定され、既設の物干し装置のアーム２０３の折り畳みの支障とならない。また、追加竿掛け部２２と竿掛け孔２０５とが重なるようにしておけば、追加アーム２０を延ばさずに既設の物干し装置のアーム２０３のみを使用することができる。なお、図３では、挟持部１２とパイプ１３を省略している。
【００２２】
他方のアーム２０４にも同様に物干し装置の補助装置１が取り付けられ、一対の追加アーム２０の追加竿掛け部２２に物干し竿を掛けることが可能となる。したがって、既設の物干し装置に掛けることができる物干し竿よりも多くの物干し竿を掛けることが可能となる。
【００２３】
追加アーム２０の回動範囲が制限される構造であれば、上述した以外の構造も採ることができる。例えば、図４に示すように、覆い部１１の側面１１ｓに、螺刻部１７を中心とする円弧状の溝３１を刻み、追加アーム２０の第１突起２１が溝３１に嵌入される構造としてもよい。この場合、第１突起２１が溝３１の端部に当接し、追加アーム２０の回動範囲が制限される。なお、図４では、覆い部１１のみを示している。
【００２４】
覆い部１１の側面１１ｓに追加アーム２０の回動を制限する第２突起１８、１９や溝３１を設ける例を示した。逆に、追加アーム２０の側面２０ｓに追加アーム２０の回動を制限する第２突起や溝を設け、覆い部１１の側面１１ｓに設けた第１突起が、第２突起や溝に当接して追加アーム２０の回動範囲が制限される構造としてもよい。
【００２５】
以上、既設の物干し装置に追加する補助装置を説明したが、基部をアームの先端に取り付けずに、追加アームをアームの先端に直接回動可能に取り付けてもよい。図５は、本発明に係る物干し装置のアーム２０３の先端２０３ａに追加アーム２０が取り付けられた様子を示し、（ａ）は真横から見た図であり、（ｂ）は（ａ）におけるＡ−Ａ線切り欠き断面図である。物干し装置１は、アーム２０３と、アーム２０３に回動可能に取り付けられた追加アーム２０を備える。同様に、アーム２０３、２０４の回動機構や支柱２０１、２０２の取り付け構造の説明は省略する。また、使用時に一対のアーム２０３、２０４が水平方向に保持されていてもよく、また上述した方法以外の方法でアームが折り畳まれる構造を有していてもよい。
【００２６】
追加アーム２０に対向する、アーム２０３の先端２０３ａの側面２０３ｓには螺刻部２１７が設けられ、螺刻部２１７にはネジ溝（図示しない）が螺刻されている。そして、ボルト２３は、追加アーム２０の貫通孔（図示しない）を貫通し、突起２１７のネジ溝に螺合されている。なお、緩み止めのため、ボルト２３には、ワッシャやスプリングワッシャを適宜設けてもよい。
【００２７】
先端２０３ａに対向する、追加アーム２０の側面２０ｓには、第１突起２１が設けられている。一方、先端２０３ａの側面２０３ｓには２つの第２突起２１８、２１９が、追加アーム２０の回動に伴って、第１突起２１が第２突起２１８、２１９に当接し、追加アーム２０の回動範囲が制限されるような位置に設けられている。すなわち、第１突起２１は螺刻部２１７を中心とし第２突起２１８、２１９を通る円弧上のみを動くように追加アーム２０の回動範囲が制限される。
【００２８】
具体的には、図５（ａ）に示すように、追加アーム２０が水平方向になったときに、第１突起２１が第２突起２１９に当接するような位置に、第２突起２１９が設けられている。したがって、追加アーム２０が水平方向に固定され、垂れ下がることはない。第２突起２１９の位置を変えて、所定の角度、水平方向よりやや上向き、あるいは水平方向よりやや下向きなどの位置に追加アーム２０を固定することもできる。
【００２９】
図６は、第１突起２１が第２突起２１８に当接している様子を示す。アーム２０３と追加アーム２０が重なる状態で固定され、アーム２０３の折り畳みの支障とならない。また、追加竿掛け部２２と竿掛け孔２０５とが重なるようにしておけば、追加アーム２０を延ばさずにアーム２０３のみを使用することができる。その結果、掛ける物干しの本数が少ないときは、追加アーム２０を延ばすことなく、狭い場所でもアームが長くなって取扱いにくくなるということがなくなる。
【００３０】
他方のアーム２０４にも同様に追加アームが取り付けられ、一対の追加アーム２０の追加竿掛け部２２に物干し竿を掛けることが可能となる。したがって、既設の物干し装置に掛けることができる物干し竿よりも多くの物干し竿を掛けることが可能となる。
【００３１】
追加アーム２０の回動範囲が制限される構造であれば、上述した以外の構造も採ることができる。例えば、図７に示すように、先端２０３ａの側面２０３ｓに、螺刻部２１７を中心とする円弧状の溝２３１を刻み、追加アーム２０の第１突起２１が溝２３１に嵌入される構造としてもよい。この場合、第１突起２１が溝２３１の端部に当接し、追加アーム２０の回動範囲が制限される。
【００３２】
先端２０３ａの側面２０３ｓに追加アーム２０の回動を制限する第２突起２１８、２１９や溝２３１を設ける例を示した。逆に、追加アーム２０の側面２０ｓに追加アーム２０の回動を制限する第２突起や溝を設け、先端２０３ａの側面２０３ｓに設けた第１突起が、第２突起や溝に当接して追加アーム２０の回動範囲が制限される構造としてもよい。
【００３３】
以上の例において、追加アーム２０の追加竿掛け部２２は、竿掛け孔２０５のような長孔や、図２に図示したＵ字状の切り欠きであってもよい。Ｕ字状の切り欠きとする場合、追加アーム２０の先端側２２ａの幅方向に対する傾斜角を、回動軸側２２ｂの幅方向に対する傾斜角より大きくすると、風にあおられて物干し竿が外れることがない。
【図面の簡単な説明】
【００３４】
【図１】（ａ）は既設の物干し装置を示す斜視図であり、（ｂ）は既設の物干し装置に本発明の物干し装置の補助装置を取り付けた様子を示す斜視図である。
【図２】（ａ）は本発明の物干し装置の補助装置を真横から見た図であり、（ｂ）は（ａ）におけるＡ−Ａ線切り欠き断面図である。
【図３】追加アームを既設のアームに重ねた状態を示す図である。
【図４】覆い部の他の例を示す図である。
【図５】（ａ）は本発明の物干し装置のアームと追加アームを真横から見た図であり、（ｂ）は（ａ）におけるＢ−Ｂ線切り欠き断面図である。
【図６】追加アームをアームに重ねた状態を示す図である。
【図７】アームの先端の他の例を示す図である。
【符号の説明】
【００３５】
１              物干し装置の補助装置
１０              基部
１１              覆い部
１２              挟持部
１７              螺刻部
１８、１９        第２突起
２０              追加アーム
２２              追加竿掛け部
２１              第１突起
３１              溝
２０３、２０４      アーム
２０５、２０６      竿掛け孔
２０７              節部
２１７              螺刻部
２１８、２１９      第２突起
２３１              溝
【図１】
2009268867.tif 000003
【図２】
2009268867.tif 000004
【図３】
2009268867.tif 000005
【図４】
2009268867.tif 000006
【図５】
2009268867.tif 000007
【図６】
2009268867.tif 000008
【図７】
2009268867.tif 000009